(57)【要約】【課題】エレベーター乗場に設置される乗場デジタルインジケータを用いて保守点検中であることを利用者に確実に知らせることのできるエレベーターの乗場表示システムおよび表示方法を提供する。【解決手段】保守点検モード要求信号の入力に基づいて保守点検モードに切り替ったことを判定したときには表示を切替える表示切替指令を出力する保守点検モード判定手段１１と、表示切替指令に基づいて保守点検中であることを表わす所定の語句を１文字ずつ流動表示させる流動表示指令を出力する保守点検表示指示手段１２と、流動表示指令に基づいて所定の語句を１文字ずつ順次表示させて繰り返す乗場表示手段２とを備え、保守点検表示指示手段１２は所定の語句のうち最初の文字と他の文字とを区別して乗場表示手段２に表示させる。【選択図】        図２
2004182431.tif 000002
【特許請求の範囲】
【請求項１】
保守点検モード要求信号の入力に基づいてエレベーターの運転状態が通常運転モードから保守点検モードに切り替ったことを判定したときには表示を切替える表示切替指令を出力する保守点検モード判定手段と、
前記保守点検モード判定手段により出力された表示切替指令に基づいて、保守点検中であることを表わす所定の語句を１文字ずつ流動表示させる流動表示指令を出力する保守点検表示指示手段と、
前記保守点検表示指示手段により出力された流動表示指令に基づいて、前記所定の語句を１文字ずつ順次表示させて繰り返す乗場表示手段と
を備え、
前記保守点検表示指示手段は、前記所定の語句のうち最初の文字と他の文字とを区別して前記乗場表示手段に表示させる
ことを特徴とするエレベーターの乗場表示システム。
【請求項２】
前記保守点検表示指示手段は、複数の文字からなる前記所定の語句のうち最初の文字を前記乗場表示手段に表示させる時間を、他の文字を表示させる時間よりも長くした
ことを特徴とする請求項１に記載のエレベーターの乗場表示システム。
【請求項３】
保守点検モード要求信号の入力に基づいてエレベーターの運転状態が通常運転モードから保守点検モードに切り替ったことを判定したときには表示を切替える表示切替指令を出力する保守点検モード判定ステップと、
前記表示切替指令に基づいて、保守点検中であることを表わす所定の語句を１文字ずつ流動表示させる流動表示指令を出力する保守点検表示指示ステップと、
前記流動表示指令に基づいて、前記所定の語句を１文字ずつ順次表示させて繰り返す乗場表示ステップと
を含み、
前記保守点検表示指示ステップは、前記所定の語句のうち最初の文字と他の文字とを区別して表示させる
ことを特徴とするエレベーターの乗場表示方法。
【請求項４】
前記保守点検表示指示ステップは、複数の文字からなる前記所定の語句のうち最初の文字を表示させる時間を、他の文字を表示させる時間よりも長くした
ことを特徴とする請求項３に記載のエレベーターの乗場表示方法。
【発明の詳細な説明】
【０００１】
【発明の属する技術分野】
この発明は、エレベーターの保守点検時にエレベーターが使用できないことを利用者に知らせるエレベーターの乗場表示システムおよび表示方法に関するものである。
【０００２】
【従来の技術】
従来のエレベーターの乗場表示システムは、通常運転表示モードであるかを判定し、通常運転表示モードであれば現在のかご位置を表示部に表示させる。一方、通常運転表示モードでないと判定した場合には、さらに保守運転表示モード要求があるかどうかをチェックし、保守運転表示モード要求があれば、表示器にその旨を表示させていた。
【０００３】
ここでの保守運転表示モード要求時に保守運転である旨を表示する表示処理方法としては、流動表示処理、一文字毎切替処理、反転処理、およびフリッカー処理等が考えられるが、流動表示処理においては表示データを上方向、下方向、または横方向へ移動し、最終表示データ以降は、再度最初の表示データへループし、それを繰り返す方式を採用している。なお、表示データの流動速度は設定された流動速度パラメータにより決定している（例えば、特許文献１参照。）。
【０００４】
【特許文献１】
特開平９−１６５１５４号公報（第５−６頁、図６）
【０００５】
【発明が解決しようとする課題】
上述したような従来のエレベーターの乗場表示システムでは、全ての文字を同一時間で一文字ずつ切り替え表示しているので、語句の始まりが認識しにくいため、内容が理解しづらいといった問題点があった。
【０００６】
この発明に係るエレベーターの乗場表示システムは、上述のような課題を解決するためになされたもので、エレベーター乗場に設置される乗場デジタルインジケータを用いて保守点検中であることを利用者に確実に知らせることのできるエレベーターの乗場表示システムおよび表示方法を提供することを目的とする。
【０００７】
【課題を解決するための手段】
この発明に係るエレベーターの乗場表示システムは、保守点検モード要求信号の入力に基づいて保守点検モードに切り替ったことを判定したときには表示切替指令を出力する保守点検モード判定手段と、前記表示切替指令に基づいて保守点検中であることを表わす所定の語句を１文字ずつ流動表示させる流動表示指令を出力する保守点検表示指示手段と、前記流動表示指令に基づいて前記所定の語句を１文字ずつ順次表示させて繰り返す乗場表示手段とを含み、前記保守点検表示指示手段は、前記所定の語句のうち最初の文字と他の文字とを区別して前記乗場表示手段に表示させるものである。
【０００８】
【発明の実施の形態】
実施の形態１．
この発明の実施の形態１に係るエレベーターの乗場表示システムについて図面を参照しながら説明する。図１は、この発明の実施の形態１に係るエレベーターの乗場表示システムの乗降場の正面図である。
【０００９】
図１において、乗場ドア１の右側にある乗場操作盤には、乗場デジタルインジケータ（乗場表示手段）２と、乗場釦３とが設置されている。この乗場デジタルインジケータ２は通常、エレベーターかごの現在位置（階床）を表示しているが、保守点検時には１文字ずつ切り替えて、例えば、「テ」「ン」「ケ」「ン」「チ」「ユ」「ウ」等の所定の語句を順次繰り返して流動表示させることにより、エレベーターの利用者に視覚を通じて「保守点検中」であることを認識させている。また、乗場釦３は利用者の操作によりエレベーターの行先方向を指定するものである。
【００１０】
なお、流動表示する所定の語句は、上記のものに限らず「ホ」「シ」「ユ」「テ」「ン」「ケ」「ン」「チ」「ユ」「ウ」等であってもよい。
【００１１】
図２は、この発明の実施の形態１に係るエレベーターの乗場表示システムの全体構成を示したブロック図である。
図２において、保守点検モード設定スイッチ１０は、エレベーター制御盤１３に取り付けられており、保守員のオン（ＯＮ）操作に応じてエレベーターの通常運転モードから保守運転モードに切替える保守点検モード要求信号を出力する。また、保守員が携帯する保守用携帯端末装置１４を用いて保守点検モード要求信号を出力してもよい。
【００１２】
エレベーター制御盤１３には、保守点検モード判定手段１１と保守点検表示指示手段１２とが含まれている。
この保守点検モード判定手段１１は、保守点検モード設定スイッチ１０より出力された保守点検モード要求信号の検出によって保守点検モードであることを判定し、表示切替指令を出力する。
【００１３】
また、保守点検表示指示手段１２は、保守点検モード判定手段１１より表示切替指令を受けていないときは乗場デジタルインジケータ２に対してかご位置を表示する指令を出力し、保守点検モード判定手段１１より表示切替指令を受けると乗場デジタルインジケータ２に対して１文字ずつ「テ」「ン」「ケ」「ン」「チ」「ユ」「ウ」を表示する流動表示指令を出力する。
【００１４】
ただし、本実施の形態１に係る保守点検中表示指示手段１２は、表示する語句の始まりを分かり易くするために、「テ」の文字の表示時間を例えば５秒間とし、他の文字の表示時間を１秒間とするように制御する。
【００１５】
図３は、この発明の実施の形態１に係るエレベーターの乗場表示システムの動作を示したフローチャートである。
【００１６】
図３において、はじめに、エレベーター制御盤１３の保守点検モード判定手段１１は、保守点検モードであるか否かを判定する（ステップ１０１）。次いで、判定の結果、保守点検モードである場合には保守点検表示指示手段１２は保守表示の文字フォントを選択する（ステップ１０２）。すなわち、エレベーター制御盤１３内の図示しないメモリから保守時に表示するように予め設定された文字フォントを選択する。
【００１７】
保守点検表示指示手段１２は、乗場デジタルインジケータ２に対して表示指示する文字フォントが「語句の最初の文字」であるか否かを判断する（ステップ１０３）。判断の結果、表示指示する文字フォントが「テ」である場合には一定の長時間（例えば、５秒間）最初の文字「テ」を乗場デジタルインジケータ２に表示させる（ステップ１０４）。
【００１８】
次いで、保守点検表示指示手段１２は、表示指示する文字フォントが「語句の最後の文字」であるか否かを判断する（ステップ１０５）。判断の結果、表示指示する文字フォントが「ウ」である場合には処理を終了する。
【００１９】
一方、ステップ１０１における判定の結果、保守点検モードではなかった場合には、かご位置表示の文字フォントを選択する（ステップ１０７）。すなわち、エレベーター制御盤１３内の図示しないメモリから通常運転時に表示するように予め設定された文字フォントを選択する。
【００２０】
また、ステップ１０３における判断の結果、表示指示する文字フォントが「テ」でない場合には一定の短時間（例えば、１秒間）その文字フォント（「テ」以外の文字フォント）を乗場デジタルインジケータ２に表示させ（ステップ１０６）、ステップ１０５へ進む。
【００２１】
なお、ステップ１０５において、保守点検表示指示手段１２が表示指示する文字フォントが「語句の最後の文字」、すなわち文字フォント「ウ」でないと判断した場合にはステップ１０３〜１０６を再度繰り返す。
【００２２】
図３に示した動作フローチャートによって乗場デジタルインジケータ７に表示される状態について説明する。図４は、この発明の実施の形態１に係るエレベーターの乗場表示システムの乗場デジタルインジケータに表示される文字フォントの説明図であり、保守点検モード時において「語句の最初の文字」である「テ」を所定の長時間表示している状態を示している。
【００２３】
この流動表示では乗場デジタルインジケータ２に１文字フォントずつ切替えて表示案内されており、先頭文字フォントの「テ」が乗場デジタルインジケータ２に流動してきたときには５秒間表示され、次の文字フォント「ン」から最終文字フォント「ウ」までは１秒間ずつ表示される。
【００２４】
以上のように、この発明に係るエレベーターの乗場表示システムによれば、先頭文字フォントの「テ」が乗場デジタルインジケータ２に流動してきたときには５秒間表示され、次の文字フォントの「ン」から最終文字フォントの「ウ」までは１秒間ずつ表示されるので、語句の始まりが認識し易く保守点検中であることを利用者に確実に知らせることができる。
【００２５】
なお、本実施の形態１に係るエレベーターの乗場表示システムでは、保守点検中に乗場インジケータ２に表示される文字フォントが表示する語句の先頭文字フォントの「テ」である場合には、他の文字フォントに比べ長時間表示させることにより、表示される語句を認識し易いようにしたが、これに限るものではなく、例えば、最初の文字「テ」を表示指示するときこの文字フォントの表示のみ反転処理、またはフリッカー処理するものであっても同様の効果を奏することができる。
【００２６】
【発明の効果】
この発明に係るエレベーターの乗場表示システムによれば、保守点検中表示指示手段は、乗場表示手段が表示しようとする文字フォントが前記所定の語句の先頭文字フォントである場合にのみ、先頭文字フォントを他の文字フォントの表示時間よりも長く表示させるので、語句の始まりが認識し易く保守点検中であることを利用者に確実に知らせることができる。
【図面の簡単な説明】
【図１】この発明の実施の形態１に係るエレベーターの乗場表示システムを備えるエレベーターの乗降場の正面図である。
【図２】この発明の実施の形態１に係るエレベーターの乗場表示システムの全体構成を示したブロック図である。
【図３】この発明の実施の形態１に係るエレベーターの乗場表示システムの動作を示したフローチャートである。
【図４】この発明の実施の形態１に係るエレベーターの乗場表示システムの乗場デジタルインジケータに表示される文字フォントの説明図である。
【符号の説明】
１  乗場ドア、２  乗場デジタルインジケータ（乗場表示手段）、３  乗場釦、１０  保守点検モード設定スイッチ、１１  保守点検モード判定手段、１２  保守点検表示指示手段、１３  エレベーター制御盤、１４  保守用携帯端末装置。
【図１】
2004182431.tif 000003
【図２】
2004182431.tif 000004
【図３】
2004182431.tif 000005
【図４】
2004182431.tif 000006